Podtech/llm-jp-corpus-v4-ja_patent huggingface dataset:
(57)【要約】      （修正有）【課題】身体に及ぶ装飾品重量の影響を軽減するペンダントを提供する。【解決手段】前身頃装身具重量と後身頃装身具重量がほぼ同じになるように、安全配慮重量を後身頃装身具中央週辺に配し、前身頃装身具と後身頃装身具とを、重量相応強固接続パーツで接続した。【選択図】図２
0003217404.tif 000002
【実用新案登録請求の範囲】
【請求項１】
ネックアクセサリーに安全に相応強固金具で後身頃中央週辺にフロント相応重責責務ペンダントを配して連接することを持徴とする。
【請求項２】
ネックアクセサリーフロント重量合理的軽減でリサイクルにも相応重責の責務ペンダントを後身頃中央週辺デザイン配して安全連接製作を持徴とする。
【考案の詳細な説明】
【技術分野】
【０００１】  身体に及ぶ装飾品重量の影響を相応重量ペンダントを直接装飾品付け製作方に就て
【背景技術】
【０００２】  ネックアクセサリーは、身体に及ぶ影響が体力的疲労、肩か凝ることが直接的で重力にもよるフロント重量によって健全な姿勢保たれないことも助長され左右肩高低差にもよるフロントメイン移動でグラジェーション後方の細い連とクラスプ後身頃アクセサリーは、前身頃とフロント周辺で遊ぶ装いで、後は、装飾品長所まで精神的疲労も加わって除外視されます。
【先行技術文献】
文献で、ペンダントを説明
【考案の概要】
【考案が解決しようとする課題】
【０００３】  ペンダント・アジャスターは、身体に及ぶ影響を考虚する製品されていません。
装身具は、ファッション補助あるいはリーダー的で服と使い心地良くは、条件と考えます。
ネックアクセサリーメインは、フロントにあるので、メインペンダント、大珠、重力によってもフロント重量の身体に及ぶ影響と健康姿勢が懸念されます。そこで相応重量重責デザインペンダントを後身頃中央に配して連接製作することで、フロント重量軽減と  解決に近付きます。
【課題を解決するための手段】
【０００４】  ネックアクセサリーフロント重力も含む総重量を軽限するためフロント後身頃重量差少なく後身頃中央周辺に相応重量１ペンダントを選択及び制作でネックアクセサリーデザイン製作する。
【考案の効果】
【０００５】  ネックアクセサリー  フロント重量の身体に及ぶ疲労とそれにもよるネックアクセサリーフロントメイン移動によってのファッション性も通常フロントメインに配するメイン性ある相応重量重貴１点ペンダントをネックアクセサリー後身頃中央に配することによって装身具フロント重量軽減です。
フロントメイン可所移動にもメイン性あるペンダントは、前身頃フロントを方向として飾ることとなる。重量重貴１点ペンダントを配することで重量デザイン性を変革します。リサイクル、リニューアルにも合理的です。
【図面の簡単な説明】
【０００６】
【図１】（ａ）責務的ペンダント、着装クラスプをフロントに配する。（ｂ）責務的ペンダント、後着装クラスプを製作片に従って配する正面図
【図２】同重珠連ネックアクセサリーに責務的ペンダントを配する正面図
【図３】同珠と金属鎖と価格も限定で責務的ペンダントを配する。
【考案を実施するための形態】
【０００７】  ネックアクセサリー後見頃凡そを手の開他に平らく掛け置く次にネックアクセサリー前身頃フロント重量を手のひらに乗せて凡そを見当する
重量差少なく、及び重責量おおいと重力にもよるフロント移動活発になる責務ペンダントを選択及び制作します。安全のために強固、太めの金具利用で、ネックアクセサリー直接付けて製品とします。
【実施例】
【０００８】  グラジェーション珠ネックアクセサリーの責務ペンダントをフロントメイン位置移動及び装いは、図１（ａ）です。グラジェーション珠に相応重量責務ペンダントを安全に連接のネックアクセサリーは、図１（ｂ）です。【０００９】  同珠同重量珠連に責務ペンダントをデザイン配して製作のネックアクセサリーです。【０００１０】  少ない珠素材、金属と価格も限定で合理的製作のフロント重量軽限責務ペンダント入ネックアクセサリー図３です。
【符号の説明】
【０００１１】  １、着装クラスプ
【図１】
0003217404.tif 000003
【図２】
0003217404.tif 000004
【図３】
0003217404.tif 000005
【手続補正書】
【提出日】平成30年5月10日(2018.5.10)
【手続補正１】
【補正対象書類名】実用新案登録請求の範囲
【補正対象項目名】全文
【補正方法】変更
【補正の内容】
【実用新案登録請求の範囲】
【請求項１】
前身頃装身具総重量とほぼ同じか、フロント集中重量軽減を目的として安全配慮重量を持つペンダントで、装身具後身頃中央週辺と重量相応強固接続パーツ利用で安全連接配することを特徴とするペンダント。
(57)【要約】      （修正有）【課題】多角形多重式日本みつ蜂の巣箱を提供する。【解決の手段】日本みつ蜂用巣箱であって、多角形の木枠２〜５を２段以上積み重ね、天井板１と底板６をもうけ、最下段に巣門７を開けた構造であり、かつ当該木枠の形状が５角形以上であることを特徴とする。このように、巣箱を、自然巣の形状に近い形状の多角形多重式巣箱、つまり五角、六角、七角、八角、九角、十角と、円柱型に近づけることで、日本蜜蜂の自然巣の外観に近づけることができる。【選択図】図１
0003217409.tif 000002
【実用新案登録請求の範囲】
【請求項１】
日本みつ蜂用巣箱であって、多角形の木枠を２段以上積み重ね、天井板と底板をもうけ、最下段に巣門を開けた構造であり、かつ当該木枠の形状が５角形以上であることを特徴とする多角形多重式日本みつ蜂の巣箱。
【請求項２】
請求項１にかかる巣箱を構成する木枠の材質は紙材でも良い。
【考案の詳細な説明】
【技術分野】
【０００１】本考案は日本みつ蜂の飼育巣箱を、自然巣の形状に似た形状の多角形多重式巣箱にする。
【背景技術】
【０００２】現在一般的に普及している日本みつ蜂の巣箱は、四角の多重式である、自然界での営巣は、立木の室であり、外観は円柱形であり四角形とは異なる。
【考案の概要】
【考案が解決しようとする課題】
【０００３】現在一般的に使用されている四角形の多重式巣箱は、自然巣とは外観も、室の空間形状も異なる。そのため安定した蜂の飼育や特に分蜂群の収容に適さない。【０００４】四角形巣箱で分蜂群を待ち受け収容はむずかしく強制的な収容が多い。
強制収容した群を定住させるため、巣門を狭め女王蜂の出巣を不可能にして巣箱内に巣作りをさせるが巣作りが始まり、巣門を広めると蜂全部が逃亡することが多々ある。
又、定着しても巣箱内の巣の形状も良くなく無駄な空間が多い巣作りをすることもある。
【課題を解決するための手段】
【０００５】日本みつ蜂の巣箱であって、多角形の木枠を２段以上積み重ね、天井板と底板をもうけ、最下段に巣門を開けた構造であり、かつ当該木枠の形状が５角形以上であることを特徴とする多角形多重式日本みつ蜂の巣箱。【０００６】本考案は巣箱の形状を、立木の室に作られた自然巣に外観が似た、五角形、六角形、七角形、八角形、九角形、十角形の木枠を数段重ね、天井板と底板と最下段に巣門をもうけた多角形多重式巣箱である。
この巣箱を使用することにより課題の解決を図る。
尚、巣箱を構成する木枠は同じ規格でなくてはならない。又、当該木枠の形状は円形迄とする。
【考案の効果】
【０００７】上述の様に、本考案の多角形多重式巣箱使用により、分蜂群の待受け収容は四角形巣箱使用と比べると収容率も高く収容後の飼育場所へ移動設置後の蜂の落ち着くのも早い。
又強制収容の群であっても同様で飼育場所へ移動設置後の落ち着きも早く、女王蜂の出巣を止めなくても逃亡も見られず安定した巣作り、集蜜を行う。又、巣箱での巣作りにおいても無駄な空間もなく、効率良く行う。さらに、木枠を構成する木板のサイズも、タテ、ヨコ、それぞれ１０ｃｍでも活用可能のため材料のロスも少ない。
【図面の簡単な説明】
【０００８】
【図１】本考案の多角形多重式九角型巣箱の斜視図である。
【図２】多角形多重式九角型巣箱を構成する木枠の斜視図である。
【図３】多角形多重式十角型巣箱を構成する木枠の斜視図である。
【図４】多角形多重式八角型巣箱を構成する木枠の斜視図である。
【図５】多角形多重式七角型巣箱を構成する木枠の斜視図である。
【図６】多角形多重式六角型巣箱を構成する木枠の斜視図である。
【図７】多角形多重式巣箱を構成する木枠の一角部を担う木板の斜視図である。
【図８】図７の木板の断面図である。
【図９】図７の木板を製造する際に使用する補助具の斜視図である。
【図１０】図９の使用時の側面図である。
【考案を実施するための形態】
【０００９】本案の多角形多重式巣箱は多角形の木枠を４段重ね最上段木枠上部に天井板を乗せて、最下段下部に底板を設置する。最下段木枠には巣門を開けて、底板に固定する。
尚、木枠の数は蜂の数に合わせて増減も可である。
【実施例】
【０００１０】以下添付図に従い実施例を説明する。まず、図１は多角形多重式巣箱の九角型であり、図２の木枠を４段重ねて最上段木枠２の上部に天井板１をのせ最下段木枠５の下部に巣門７を開け、底板６に固定した多角形多重式の九角型巣箱である。尚、図２の木枠を構成する図７の木板はすべて同じ規格である。尚、枠の材質は紙であっても可である。【０００１１】図２から図６の木枠は、図７の木板を組み合わせ固定したものであり図７の断面図が図８であり、木板の両端斜角度αの角度はそれぞれ５角型は５５°  ６角型は６０°  ７角型は６５°  ８角型は６８°  ９角型は７０°  １０角型は７３°である。【０００１２】これらの角度に加工するため、補助具図９を使用する。使用は補助具斜面９に木板１０を固定し図１０で示す切断線１１に沿い垂直に切断し切断木片１２を切り離す。木板１０の両端に同様の加工を施すと図７となる。補助具図９の補助具斜面９の斜角度βはそれぞれ５角型用は３５°  ６角型用は３０°  ７角型用は２５°  ８角型用は２２°  ９角型用は２０°  １０角型用は１７°である。【０００１３】図７の木板は多角形多重式巣箱を構成する木枠の部分材料であり、両端はそれぞれの角型の木枠を構成するのに適した角度に加工し使用する。木板の規格は同じでなくてはならない。図１の例では９角型のため図７の木板の両端を７０°に加工の木板を９枚組み合わせ接着固定し、成された木枠図２を４組重ね、木枠５の下部に巣門７を開け底板６に接着固定し、上部には木枠４木枠３木枠２と重ね木枠２の上部に天井板１をおき、多角形多重式巣箱９角型と成す。
【符号の説明】
【０００１４】  １    天井板
２    木枠
３    木枠
４    木枠
５    木枠
６    底板
７    巣門
８    補助具
９    補助具斜面
１０  木板
１１  切断線
１２  切断木片
α    木板の両端斜角度
β    補助具斜面の斜角度
Ａ    木枠の切断を矢印の先より始める
Ｂ    Ｂ矢印の先、Ａより切断終点
【図１】
0003217409.tif 000003
【図２】
0003217409.tif 000004
【図３】
0003217409.tif 000005
【図４】
0003217409.tif 000006
【図５】
0003217409.tif 000007
【図６】
0003217409.tif 000008
【図７】
0003217409.tif 000009
【図８】
0003217409.tif 000010
【図９】
0003217409.tif 000011
【図１０】
0003217409.tif 000012
【手続補正書】
【提出日】平成30年5月18日(2018.5.18)
【手続補正１】
【補正対象書類名】実用新案登録請求の範囲
【補正対象項目名】全文
【補正方法】変更
【補正の内容】
【実用新案登録請求の範囲】
【請求項１】
日本みつ蜂用巣箱であって、多角形の木枠を２段以上積み重ね、天井板と底板をもうけ、最下段に巣門を開けた構造であり、かつ当該木枠の形状が５角形以上であることを特徴とする多角形多重式日本みつ蜂の巣箱。
(57)【要約】      （修正有）【課題】何も意識していない時に思いがけずメロディが聞こえてくる、というような偶然性・意外性を伴った癒し効果があるオルゴールを提供する。【解決手段】自然の風、とくにそよ風のような微風においてもオルゴール１を駆動させるために、機械的な抵抗力を生ずるゼンマイ・調速機などを取り除いて、残っている複数の歯車３のうち一番小さい歯車の駆動軸４にプロペラ２や風車などを設ける。【選択図】図１
0003217428.tif 000002
【実用新案登録請求の範囲】
【請求項１】
自然の風を受けて回転するプロペラや風車を駆動軸に設けたオルゴール。
【考案の詳細な説明】
【技術分野】
【０００１】    本考案は、自然の風力で駆動するオルゴールに関する。
【背景技術】
【０００２】  オルゴールの駆動方式としては人力でゼンマイをまきあげるのが一般的であるが、そのほかにもひもを引っ張るとか、電池式、あるいはゼンマイを使用せず直接手回しで駆動するものがある。
【考案の開示】
【考案が解決しようとする課題】
【０００３】  しかし、いずれもオルゴールの音色を聴くときは、意図的に駆動させなければならず、何も意識していない時に思いがけずオルゴールからメロディが聞こえてくるというような偶然性・意外性が全くなかった
【課題を解決するための手段】
【０００４】  本考案は自然の風によって直接駆動させるべく、プロペラや風車などを駆動軸に設けた。  図１はこの構造におけるオルゴールとプロペラを示す。
【考案を実施するための形態】
【０００５】  通常のオルゴール１ではゼンマイは駆動力を蓄積するために、また調速機はメロディのリズムを一定に保つために組み込まれているが、そよ風で回転するプロペラ２の力ではこれらの機構を十分に活用できないので、あらかじめ取り除いている。残っている複数の歯車３のうち一番小さな歯車の駆動軸４にプロペラ２を設けている。そのため微弱な風力でも駆動することが可能である。
【考案の効果】
【０００６】  本考案にかかる風力オルゴールは、自然の風によって鳴り出すために風向きという偶然性・意外性が心理的な癒し効果を発揮する。
【図面の簡単な説明】
【０００７】
【図１】本考案にかかるオルゴール１の駆動軸４にプロペラ２を設けた概念図である。
【符号の説明】
【０００８】１‥‥オルゴール    ２‥‥プロペラ    ３‥‥歯車    ４‥‥駆動軸
【図１】
0003217428.tif 000003
(57)【要約】      （修正有）【課題】ローラーに残った塗料を素早く取り除くことが出来る皮スキ具を提供する。【解決手段】金属の平板１の一端に皮スキの刃体２と他端に持ち手部３を有する皮スキ具において、金属の平板１の一側に内側両側面間の幅が奥につれて直線状から半円形状に狭くなる切欠き部５を設けたものである。【選択図】図１
0003217426.tif 000002
【実用新案登録請求の範囲】
【請求項１】
金属の平板よりなり一端に皮スキの刃体と他端に持ち手部を有する皮スキ具において、平板の一側に内側両側面間の幅が奥につれて直線状から半円形状に狭くなる切欠き部を設けたことを特徴とする切欠き部を有する皮スキ具。
【請求項２】
前記半円形状の半径が１２ｍｍとなっていることを特徴とする請求項１に記載の切欠き部を有する皮スキ具。
【考案の詳細な説明】
【技術分野】
【０００１】  本考案は、塗料のついたローラーは放っておくと固まってしまうので、乾かないうちに残った塗料をヘラ等でよくしごいて落とすために用いる切欠き部を有する皮スキ具に関するものである。
【背景技術】
【０００２】  従来、皮スキ具はペンキはがしから頑固なサビのかき落としから、缶のフタを開けたり塗装工事には必要不可欠な工具で、ローラーに残った塗料は、乾かないうちに身近にある皮スキ具の直線状の側面を使ってローラーをよくしごいて塗料を落としていた。
【先行技術文献】
【０００３】
【特許文献】
【特許文献】実全昭５３−０８９０６２号  公報
【考案の概要】
【考案が解決しようとする課題】
【０００４】  従来、ローラーに残った塗料は、乾かないうちにヘラや皮スキ具の直線状の側面を使ってローラーをよくしごいて落としていたが、直線状の側面ではローラー刷毛に接する表面積が少ないので、しごき落とすのに何度もローラー刷毛の表面を往復しなければならなかった。またローラー刷毛の根元付近に残った塗料は、皮スキ具の直線状の側面ではローラー刷毛に接する表面が直線的にしか接しないので、根元付近の塗料の取り残しが多々あった。
【課題を解決するための手段】
【０００５】  上記問題を達成するために本考案は、皮スキ具の金属の平板の一側に内側両側面間の幅が奥につれて直線状から半円形状に狭くなる切欠き部を設けている。なおローラーはスモールローラーに限定されており、前記半円形状の半径が１２ｍｍとなっており、問題を解決している。
【考案の効果】
【０００６】  従来の皮スキ具では、直線状の側面でローラー刷毛に付着した塗料をしごき落とすのに何度もローラー刷毛の表面を何度も前後に往復しなければならなかったが、本考案の切欠き部を有する皮スキ具は、金属の平板の一側に内側両側面間の開口の幅が、スモールローラーの径より若干狭く、さらに開口側から奥につれて直線状から半円形状に狭くなる切欠きの構造で半円形状の半径が１２ｍｍになっているので、本考案の切欠き部を有する皮スキ具をローラーに差し込んだ時、半円形状の内側両側面がスモールローラー刷毛の根元付近まで入り込む寸法になっているので、皮スキの切欠き部がスモールローラー刷毛のほぼ半周に被さる。【０００７】  そしてスモールローラーの刷毛の塗料をしごき落とすには、皮スキの切欠き部が刷毛の根元付近まで入り込んでスモールローラー刷毛の半周にほぼ被さっているので、スモールローラーの長手方向に一往復させ、塗料が残っている刷毛の半周をしごき落とすことにより、何度もローラー刷毛の長手方向を往復しなくともローラー刷毛に付着した塗料を素早くしごき落とせる。【０００８】  また従来の皮スキ具の直線状の側面でローラー刷毛をしごき落とすと、ローラー刷毛が直線的にしか接触しない為にしごき落とす表面積が小さく、さらにローラーが回転して不安定なため何度もローラーの長手方向に前後させても塗料の取り残しが多々あった。本考案の切欠き部の開口の幅が、スモールローラーの径より若干狭く、さらに奥につれて直線状から半円形状に狭くなる切欠きの構造になっているので、本考案の切欠き部を有する皮スキ具をローラーに差し込んだ時、直線状でローラー刷毛を捉えるので、ローラーは安定したままで、ローラー刷毛の根元の付近へと塗料を押しやりながら半円形状の内側両側面はローラー刷毛の根元付近まで食い込ませているので、塗料をしごき落とす際にはローラー刷毛の半周に被さっている表面から、ローラー毛の根元に付着した塗料をしごき落とすことが出来るので、塗料の取り残しが軽減される。
【図面の簡単な説明】
【０００９】
【図１】  本考案の平面図
【図２】  本考案の正面図
【考案を実施するための形態】
【００１０】  本考案は、皮スキ具の金属の平板の一側に内側両側面間の開口の幅が、スモールローラーの径より若干狭く、さらに奥につれて幅が直線状から半円形状に狭くなる切欠き部を設けている。なお前記半円形状の半径が１２ｍｍとなっているので、ローラーはスモールローラーに限定されている。しかしながら前記半円形状の半径を変更することにより、ラージーローラーも使用可能である。
【実施例】
【００１１】  図１及び図２は本考案の平面図と正面図である。
１は略長方形でステンレス製等の金属の平板である。２は金属の平板１の一端に設けられた皮スキの刃体である。３は金属の平板１の他端に設けられた持ち手部で、リベット４により取り付けされている。５は金属の平板１の一側に形成された切欠き部で、内側両側面間の開口の幅が、スモールローラーの径より若干狭く、さらに奥につれて直線状から半円形状に狭くなる構造になっている。【００１２】  本考案は以上の構成であるから、本考案の切欠き部５を有する皮スキ具の持ち手部３を握りローラーに差し込んだ時、金属の平板１の一側に内側両側面間の開口の幅が、スモールローラーの径より若干狭く、さらに奥につれて直線状から半円形状に狭くなる切欠きの構造になっているので、金属の平板１の直線状で塗料をローラー刷毛の根元の付近に押しやりながら半円形状の内側両側面はローラー刷毛の根元付近まで食い込ませ、塗料をしごき落とす際には、切欠き部５を有する皮スキ具がローラーの半周に被さっているので、ローラー刷毛の表面から、ローラー刷毛の根元に付着した塗料を素早くき落とす事が出来る。【００１３】  本考案は、皮スキを製造する産業で利用される。
【符号の説明】
【００１４】１金属の平板
２皮スキの刃体
３手持ち部
４リベット
５切欠き部
【図１】
0003217426.tif 000003
【図２】
0003217426.tif 000004
(57)【要約】      （修正有）【課題】紫外線ライトを用意することなく、手洗い現場で洗い残しを確認しながら洗浄することを可能にする容器入り手指洗浄確認用ローションを提供する。【解決手段】容器１と、該容器１内に充填されたローション２からなる容器入り手指洗浄確認用ローションであって、該ローション２に色素を添加する。【選択図】図１
0003217425.tif 000002
【実用新案登録請求の範囲】
【請求項１】
容器と、該容器内に充填されたローションからなる容器入り手指洗浄確認用ローションであって、前記ローションに色素を添加したことを特徴とする、容器入り手指洗浄確認用ローション。
【考案の詳細な説明】
【技術分野】
【０００１】本考案は、容器入り手指洗浄確認用ローションに関し、詳しくは、ローションに色素を添加した容器入り手指洗浄確認用ローションに関する。
【背景技術】
【０００２】従来、清潔訓練用手洗いチェッカーローションとして、紫外線ライトを当てることによって、手洗いの汚れの残り状況が分かるものがあった（例えば、非特許文献１参照）。これは透明蛍光液であり、紫外線ライトを当てないと視覚化されなかった。
【先行技術文献】
【非特許文献】
【非特許文献１】サラヤ  手洗いチェッカー（ＬＥＤ）  ｈｔｔｐ：／／ｗｗｗ．ｓｅｉｋｅｔｕ．ｃｏ．ｊｐ／ｓｏｕｊｉ／ｉｔｅｍ／２００５５−００４．ｈｔｍ
【考案の概要】
【考案が解決しようとする課題】
【０００４】しかしながら、上述の非特許文献１のものでは、紫外線ライトを当てなければ、洗い残しを視覚的に確認できなかった。そのため、手洗い現場で効率的に汚染部分を確認洗浄できないという欠点がある。【０００５】そこで、本考案では、紫外線ライトを用意することなく、手洗い現場で洗い残しを確認しながら洗浄することを可能にする容器入り手指洗浄確認用ローションを提供することを目的とする。
【課題を解決するための手段】
【０００６】上記目的を達成するため、本考案の容器入り手指洗浄確認用ローションは、容器と、該容器内に充填されたローションからなる容器入り手指洗浄確認用ローションであって、前記ローションに色素を添加したことを特徴としている。
【考案の効果】
【０００７】本考案の容器入り手指洗浄確認用ローションによれば、手指に付着したローションの色素を汚れに見立てて、洗浄後の洗い残しを視覚化することができる。これにより、手指表面の洗い残しを完全になくすことにより、学校や会社での感染予防、医療現場での二次感染予防に寄与することもできる。
【図面の簡単な説明】
【０００８】
【図１】従来の洗浄訓練用ローションに視認性の高く手指付着性の高い色素を付加する
【図２】手指に付着した色素により、洗い残しを視覚化する
【考案を実施するための形態】
【０００９】図１は、容器１及び容器１の中に充填された手指洗浄確認用ローション２を示した図である。容器１は、容器本体３とキャップ４により構成される。ローション２には、視覚的に目立つ色素が添加されている。
【００１０】キャップ４は、容器本体１を封止し、容器本体３内のローション２を外部に適量を排出するためのポンプ機能を備えている。
【００１１】容器本体３から外部に排出されたローション２を手指に万遍なくつけ、手洗いを実施する。手洗いの結果、図２に示すように洗い残しがある場合には、色素による色が手指に残っているので、視覚的にすぐに認識できる。これにより、洗い残しが完全になくなるように、手洗いの実施・指導をすることができる。
【００１２】  なお、ローション２や色素の成分は、人体に影響がないものであればいずれのものでもよく、色素の色についても特段の制限はない。また、容器１の形状や大きさも、適宜選択することができる。
【符号の説明】
【００１３】  １・・・容器
２・・・手指洗浄確認用ローション
３・・・容器本体
４・・・キャップ
【図１】
0003217425.tif 000003
【図２】
0003217425.tif 000004
(57)【要約】      （修正有）【課題】個人差により腕の長さ太さに差があってもスポーツや歩行時に肩からズレ落ちることがないアームカバーを提供する。【解決手段】肩から手の甲の範囲をおおう筒状のアームカバー１であって、肩部にＳ字状のフック２とフック留め３がそれぞれ付いており、左右を接続することによって肩からアームカバーがズレ落ちることを防ぐ。【選択図】図１
0003217424.tif 000002
【実用新案登録請求の範囲】
【請求項１】
肩から手の甲の範囲をおおう筒状のアームカバーであって、本品の肩部にＳ字状のフックが付いており、左右を接続することによって肩からアームカバーがズレ落ちることを防ぐ機能を持つことを特徴とするアームカバー。
【考案の詳細な説明】
【技術分野】
【０００１】  本考案は、肩から手の甲をカバーするアームカバーに関するものである。
【背景技術】
【０００２】  夏場に半袖シャツを着用した場合に肩、腕、手の甲が日焼けすることがあるが、アームカバーを着用することにより日焼けを防ぐことができる。
【考案の概要】
【考案が解決しようとする課題】
【０００３】  しかしながら、個人差により腕の長さ太さに差があるためスポーツや歩行時に肩からズレ落ちる不具合があった。
【課題を解決するための手段】
【０００４】  本考案のアームカバーは上部片側にＳ字状フックが付いておりＳ字状フックで左右を接続することにより肩からズレ落ちない仕様を特徴とする物である。
【考案の効果】
【０００５】  本考案のアームカバーはズレ落ちない仕様になっているので、ズレを戻すことが不要の効果を持つ。
【図面の簡単な説明】
【０００６】
【図１】本考案を示すものである。左のものはアームカバーにＳ字状のフックが付いているもの。右のものはアームカバーにフック留めが付いているものである。
【図２】左のものはＳ字状フックを留め、装着したものを前から見たものである。右のものはＳ字状フックを留め、装着したものを後ろから見たものである。
【符号の説明】
【０００７】１  アームカバー
２  Ｓ字状フック
３  フック留め
【図１】
0003217424.tif 000003
【図２】
0003217424.tif 000004
(57)【要約】      （修正有）【課題】荷物の出し入れ、インターホンの操作、宅配ボックスの操作が可能な配達ロボットを提供する。【解決手段】車輪２付き台車１にのせた扉４付き収納トランク３の内部に、遠隔操作可能な複数個の腕６、７、カメラ付き右手８、吸盤付き左手９、を組み込んだ。【選択図】図１
0003217429.tif 000002
【実用新案登録請求の範囲】
【請求項１】
車輪付き台車にのせた、扉付き収納トランクの内部に遠隔操作可能な、複数個の腕、手を組み込んで、荷物の出し入れ、インターホン、宅配ボックスの操作可能な配達ロボット。
.
【考案の詳細な説明】
【技術分野】
【０００１】
本考案は、配達ロボットに関するものである。
【背景技術】
【０００２】
配達ロボットは、単に荷物を、車両を使い、配達先の近くに自動で送り、配達依頼者に、荷物の取り出しを、依頼していた。
【０００３】
しかし、配達依頼者が、時間的に、不在か、荷物の取り出しに、外出が出来ず、荷物の受
け取りが、不可能な場合があった。
【０００４】
配達依頼者の希望する時間に合わせるとか、依頼者の手元に荷物を手渡すか、不在時、宅
配ボックスに、収納する等の作業は、従来の配達ロボットには、不可能であった。
【０００５】
この改善策として、配達ロボットに、腕、手が必要となり、荷物を収容した、トランク
から取り出し、宅配ボックスの収納操作が必要となるが、腕、手が、収納トランクの外部に
あると、荷物の取り出しが、困難であり、屋外で風雨に晒され汚れや、走行中に接触の危険
性があった。
【先行技術文献】
【特許文献】
【０００６】
【特許文献１】特開昭62-157914号公報
【考案の開示】
【考案の効果】
【０００７】
本考案の配達ロボットは、運搬中、荷物が、風雨や、盗難等の被害が無く、配達先に到着
して、収納トランクの前扉を開き、内部より、ロボットの腕、手等が現れ、インターホンの
操作、宅配ボックスの操作、荷物の出し入れ、伝票の受け渡し等、必要な操作を、自動また
は、遠隔操作で行えるようになり、人手不足が、解消される、という利点がある。
【考案が解決しようとする課題】
【０００８】
解決しようとする問題点は、配達依頼者が配達ロボットの収納トランクからの、荷物の受
け取り操作を必要とせず、何時でも、荷物を受け取ることができること。
【０００９】
又、宅配ボックス等を介し不在時でも、受け取り可能なこと。
【考案を実施するための形態】
【００１０】
動力付車輪を付けた、台車に前扉開閉可能な荷物収納トランクを乗せ、内部左右側面に腕、手、カメラ、吸盤を付け、荷物の出し入れ
、宅配ボックスの操作、可能な、配達ロボットを実現した。   
【図面の簡単な説明】
【００１１】
【図１】図１は配達ロボット考案を実施するための説明図
【図２】図２は配達ロボットの正面図
【図３】図３は配達ロボットの側面図
【符号の説明】
【００１２】
1   台車
2   車輪
3   収納トランク
4   前扉
5   スマホ
6   上腕
7   前腕
8   カメラ付き、右手
9   吸盤付き、左手
10  荷物
【図１】
0003217429.tif 000003
【図２】
0003217429.tif 000004
【図３】
0003217429.tif 000005
(57)【要約】      （修正有）【課題】ブレードを折りたたみ式にし、タワーを昇降式にし、また発電機を地下に設置しナセルの大きさを軽くすることで、台風や強風などの自然災害から機体を守り損傷を防ぎ、また修理やメンテナンスコストを軽減できる風力発電機を提供する。【解決手段】ハブのローター軸に複数のブレード１ａ〜１ｃをそれぞれ別々に連結して、台風・強風の際は風力計センサを用いて１枚分に折りたたむ。またタワー６ａ〜６ｃを３段式にし、油圧によりタワーを降下させる。ナセル４内の発電機８は地下に設置し、タワー内の巻き式のワイヤー５でナセル内のローター軸３と地下の動力伝達軸７とを連結させる。【選択図】図１
0003217498.tif 000002
【実用新案登録請求の範囲】
【請求項１】
風力発電機のブレードを折りたたみ式にし、タワーを３段の昇降式にし、また発電機を地下に設置しワイヤーで連結し回転するところを特徴とする風力発電機。
【考案の詳細な説明】
【技術分野】
【０００１】
本考案は、ブレード部の折りたたみ可能、およびタワー部を昇降可能にする風力発電機に関するものである。
【考案の概要】
【考案が解決しようとする課題】
【０００２】
風力発電機は、台風や強風といった自然災害から損傷を受けることが多く、修理やメンテナンスといった経済的負担も大きくなる。従って、ブレードを折りたたみ、タワーを降下させることにより、台風や強風から受ける機体の面積が少なくなり損傷を軽減することが可能になり、前述の欠点を解決しようとするものである。
【課題を解決するための手段】
【０００３】
本考案は、３枚のブレードの場合、ハブのローター軸には３枚それぞれ別々に連結することで、台風・強風の際は１枚分に折りたたむことができ、またタワーを３段式にし、油圧によりタワーを降下させることで、問題点を解決している。ナセル内の発電機は地下に設置され、タワー内の巻き式のワイヤーでナセル内のローター軸と地下の動力伝達軸とを連結させている。
【考案の効果】
【０００４】
上述の様に、本考案の風力発電機は台風や強風から受ける損傷を軽減することが可能になり、また修理やメンテナンスもしやすくなり、経済的負担を軽減させることに役立つ。
【０００５】
ナセル内の発電機を地下に設置することでナセルが軽く小さくなり、設置作業や修理・メンテナンスにおいて作業員の安全性も高まる。
【図面の簡単な説明】
【０００６】
【図１】本考案の風力発電機の側面図である。（通常、発電時）
【図２】本考案の風力発電機のブレードが折りたたみ、タワーが１段降下した側面図である。（台風、強風時）
【図３】本考案の風力発電機のブレードが折りたたみ、タワーが２段降下した側面図である。（台風、強風時）
【図４】本考案の風力発電機のハブとブレードとローター軸の部分の折りたたんだ際の断面図である。
【図５】本考案の風力発電機のブレードとハブ部分の折りたたんだ際の正面図である。
【符号の説明】
【０００７】
１    ブレード(３枚、1ａ、１ｂ、１ｃとする。)
２    ハブ
３    ローター軸
４    ナセル
５    ワイヤー
６    タワー（３段、６ａ、６ｂ、６ｃとする。）
７    動力伝達軸
８    発電機
【図１】
0003217498.tif 000003
【図２】
0003217498.tif 000004
【図３】
0003217498.tif 000005
【図４】
0003217498.tif 000006
【図５】
0003217498.tif 000007
(57)【要約】      （修正有）【課題】薄地のプラスチックシートを用いて容易に組み立てられ、かつ十分な強度を持つ物品組み立て用プラスチックシートである動物型ポケットティッシュケースを提供する。【解決手段】薄地のプラスチックシートであり、トムソン型を使用して打ち抜かれ数か所がシートに固定された状態で複数の部品が配置され、それらの部品には差し込み部と、この差し込み部に組み合わせる切込み部（ｓ１、ｓ５、ｓ６、Ｔｓ）を備えることで、部品をシートから外して組み合わせる時にハサミやカッターなどの切断道具や、糊やテープ等の接着道具を用いること無く簡単に物品を組み立て完成できる。【選択図】図３
0003217717.tif 000002
【実用新案登録請求の範囲】
【請求項１】
薄地のプラスチックシートであり、トムソン型を使用して打ち抜きかれ数か所がシートに固定された状態で複数の部品が配置され、それらの部品には差し込み部と、この差し込み部に組み合わせる切込み部を備えることで、部品をシートから外して組み合わせる時にハサミやカッターなどの切断道具や、糊やテープ等の接着道具を用いること無く簡単に物品を組み立て完成できる事を特徴とする動物型ポケットティッシュケース。
【請求項２】
請求項１に記載の動物型ポケットティッシュケースはトムソン型を使用して打ち抜かれた複数物品が対になる前記差し込みと前記切込みを噛み合わせることで該物品内部に現れた空間に汎用的なポケットティッシュを収納し、該物品の天面に施された十字型のスリットからポケットティッシュを取り出せることを特徴とする動物型ポケットティッシュケース。
【請求項３】
請求項１に記載の動物型ポケットティッシュケースはトムソン型を使用して打ち抜かれ数か所がシートに固定されている複数物品中の一つが両耳を頭頂部に備えた一般的な哺乳類の頭部の正面形状を、もう一つが尻尾の形状を模していることを特徴とする動物型ポケットティッシュケース。
【請求項４】
請求項１に記載の動物型ポケットティッシュケースは、オフセット印刷を用いて絵や文字、写真を印刷した請求項１に記載の動物型ポケットティッシュケース。
【考案の詳細な説明】
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来の紙で作製していたポケットティッシュケースは、組み立てるときに固定用の糊やテープ、シートからパーツを分離する為のはさみやカッター等の道具が必要だった。また形状も単純で質素なものが多かった。
【考案が解決しようとする課題】
【０００３】  プラスチックシートに物品を構成することで強度が大きく、収納の利便性も高くなり、シート状で納品できるので輸送コストを抑えることができる。更に、オフセット印刷やインクジェットプリンターを用いて猫、犬等の耳を頭頂部に持つ哺乳類の絵柄を印刷することでノベルティーグッズとしての価値を高めることができる。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
また、組み立てた時にポケットティッシュの飛び出しを防止する蓋部は哺乳動物の頭部を模した形状であり、当該部分に猫や犬の図案を施すことで本物品を動物に見立てたポケットティッシュケースとして使用することができる。
【考案を実施するための形態】
【０００５】  図１は本考案の動物型ポケットティッシュケース（１）の平面図である。動物型ポケットティッシュケース（１）はフィルムシートよりなり、トムソン加工によって打ち抜かれた複数の物品が備えられている。
動物型ポケットティッシュケース（１）には、フック構造を持った差し込み（ｔ１）（ｔ２）（ｔ３）（ｔ４）（ｔ５）（ｔ６）（ｔ７）（ｔ８）と、これと対になる切込み（ｓ１）（ｓ２）（ｓ３）（ｓ４）（ｓ５）（ｓ６）（ｓ７）（ｓ８）をもった複数の物品、また、ポケットティッシュを底上げするためのタブ（Ｇ１）（Ｇ２）、哺乳類の脚部を模した（Ｌ１）（Ｌ２）（Ｌ３）（Ｌ４）が大部分をトムソンで打ち抜かれ部分的にシートに固定された状態で備わっている。
【０００６】  図２は本考案の動物型ポケットティッシュケース（１）にシートから分離し組立てた時の斜視図である。このとき動物型ポケットティッシュケース（１）は部品（Ｌ１）（Ｌ２）（Ｌ３）（Ｌ４）が動物の足の形を、部品（Ｔ）がスリット（ＴＳ）を貫通し嵌合され、動物の尻尾を模していることから、これに任意の哺乳動物のデザインを施すことで多種類に渡る動物を図案として選択できる状態にある。また、動物型ポケットティッシュケース（１）には汎用的なポケットティッシュを収納できるスペースと取り出し用の孔（Ｋ）が確保され、動物型のポケットティッシュケースとして機能を果たすことが出来る状態でもある。
【０００７】  図３は本考案の動物型ポケットティッシュケース（１）をシートから分離し組立てたものに、汎用的なポケットティッシュを（Ｐ）を組み合わせたものである。図で取り出し用の孔（Ｋ）から汎用的なポケットティッシュを（Ｐ）を取り使用することが出来る状態である。
【図面の簡単な説明】
【０００８】
【図１】本考案の動物型ポケットティッシュケースの平面図
【図２】図１の動物型ポケットティッシュケース組み立てた場合の斜視図
【図３】図２の動物型ポケットティッシュケースにポケットティッシュを組み合わせた場合の斜視図
【０００９】  １    動物型ポケットティッシュケース
ｔ１  差し込み１
ｔ２  差し込み２
ｔ３  差し込み３
ｔ４  差し込み４
ｔ５  差し込み５
ｔ６  差し込み６
ｔ７  差し込み７
ｔ８  差し込み８
ｓ１  切り込み１
ｓ２  切り込み２
ｓ３  切り込み３
ｓ４  切り込み４
ｓ５  切り込み５
ｓ６  切り込み６
ｓ７  切り込み７
ｓ８  切り込み８
Ｔｓ  切り込み９
Ｋ      ティッシュ取出し口
Ｐ      ポケットティッシュ
Ｇ１    底上げ用タブ１
Ｇ２    底上げ用タブ２
Ｌ１    脚部１
Ｌ２    脚部２
Ｌ３    脚部３
Ｌ４    脚部４
Ｔ      尻尾
【図１】
0003217717.tif 000003
【図２】
0003217717.tif 000004
【図３】
0003217717.tif 000005
(57)【要約】【課題】  本考案は、箱の中に入れてある物を、幻想的に飾れるように箱に、音響機器と照明機器を組み合わせたライトミュージックボックスを提供する。【解決手段】  箱（１）と音響機器（２）と照明機器（３）を組み合わせたことを特徴とする。【選択図】図１
0003217715.tif 000002
【実用新案登録請求の範囲】
【請求項１】
箱（１）と音響機器（２）と照明機器（３）を、組み合わせたライトミュージックボックス
【考案の詳細な説明】
【技術分野】
【０００１】    本考案は、箱に音響機器と照明機器をつけて、箱の中に入れてある物を幻想的に飾れるようにした、ライトミュージックボックスに関するものである。
【背景技術】
【０００２】      従来、物を入れて飾れる箱は存在した。また、箱と照明機器を組み合わせたものは、提案されていた。（例えば特許文献１参照）
【先行技術文献】
【特許文献】
【０００３】
【特許文献１】特開２００６−００６９１１
【非特許文献】
【考案の概要】
【考案が解決しようとする課題】
【０００４】  これには、次のような欠点があった。
従来、物を箱に入れるだけでは殺風景であった。また箱と照明機器を組み合わせたものは、視覚的には幻想的であるが聴覚的には何も変わっていなかった。
本考案は、以上のような欠点をなくすために、なされたものである。
【課題を解決するための手段】
【０００５】  箱（１）と音響機器（２）と照明機器（３）を組み合わせる。
本考案は、以上の構成よりなるライトミュージックボックスである。
【考案の効果】
【０００６】  照明機器の光と音響機器の音を組み合わせたことで、箱の中に入れてある物を幻想的に飾ることができるようになった。
照明機器の光に加えて音響機器の音で、箱の中に入れてある物を飾る様にしたことで聴覚的に、幻想的になるようになった。
視覚的にも聴覚的にも組み合わせて幻想的に、箱の中に入れてある物を飾れることで、視覚的もしくは聴覚的どちらか一方で、幻想的にするよりも高い効果を感じられる。
音響機器で個人の好きな音楽などや、箱の中に入れてある物のイメージに合わせた音楽などを再生できる。
【図面の簡単な説明】
【０００７】
【図１】  本考案の分解斜視図である。
【図２】  本考案の斜視図である。
【考案を実施するための形態】
【０００８】  以下、本考案を実施するための形態について説明する。
箱（１）の上部のふたを照明機器（３）化する。
箱（１）の底の下に、音響機器（２）を組み合わせる。
本考案は、以上のような構造である。
本考案を使用するときは、箱の中に物を入れて音響機器で音楽などを再生し、照明機器で光を発する。
他の実施例を説明する。
箱の底と音響機器の間に照明機器を組み合わせてもよい。
【符号の説明】
【０００９】  １  箱
２  音響機器
３  照明機器
【図１】
0003217715.tif 000003
【図２】
0003217715.tif 000004
(57)【要約】      （修正有）【課題】自然由来の素材による香りを発生することが可能な照明具を提供する。【解決手段】照明具１は、混合素材が、上方が開放された器形状に形成された器部１０を有し、器部１０は上端側１１又は下端側１２のいずれか一方がコーヒー豆を煮出した上澄みと蜜蝋との混合素材で形成され、他方が、粉末形状のコーヒー豆と蜜蝋との混合素材で形成され、上端側１１と下端側１２とで器部１０を透過した光の色が異なる。【選択図】図１
0003217714.tif 000002
【実用新案登録請求の範囲】
【請求項１】
コーヒー豆から生成された素材と蜜蝋とを含む混合素材が所定形状に形成された照明具。
【請求項２】
混合素材が、上方が開放された器形状に形成された器部を有し、器部は上端側又は下端側のいずれか一方がコーヒー豆を煮出した上澄みと蜜蝋との混合素材で形成され、他方が、粉末形状のコーヒー豆と蜜蝋との混合素材で形成され、上端側と下端側とで器部を透過した光の色が異なる請求項１記載の照明具。
【考案の詳細な説明】
【技術分野】
【０００１】照明具に関する。
【背景技術】
【０００２】従来、香料が混入されたキャンドルが知られているが、このキャンドルが灯された場合に発生する香りは、人工的なものになってしまうという問題がある。
【考案の概要】
【考案が解決しようとする課題】
【０００３】本発明は自然由来の素材による香りを発生することが可能な照明具を提供することを目的とする。
【課題を解決するための手段】
【０００４】コーヒー豆から生成された素材と蜜蝋とを含む混合素材が所定形状に形成された照明具。【０００５】混合素材が、上方が開放された器形状に形成された器部を有し、器部は上端側がコーヒー豆を煮出した上澄みと蜜蝋との混合素材で形成され、下端側が、粉末形状のコーヒー豆と蜜蝋との混合素材で形成され、上端側と下端側とで器部を透過した光の色が異なる請求項１記載の照明具。
【考案の効果】
【０００６】本発明によれば、自然由来の素材による香りを発生することが可能な照明具を提供できる。
【図面の簡単な説明】
【０００７】
【図１】本考案の実施形態に係る照明具の斜視図である。
【図２】本考案の実施形態に係る照明具の断面図である。
【図３】本考案の実施形態に係る照明具の使用状態における断面図である。
【図４】本考案の実施形態に係る照明具の使用状態における写真である。
【図５】本考案の実施形態に係る照明具の使用態様の一例を説明する図である。
【図６】本考案の実施形態に係る照明具の使用態様の一例を説明する図である。
【図７】本考案の実施形態に係る照明具の使用態様の一例を説明する図である。
【考案を実施するための形態】
【０００８】照明具１はコーヒー豆から生成された素材と蜜蝋とを含む混合素材が所定形状に形成されている。
【０００９】照明具１は、混合素材が、上方が開放された器形状に形成された器部１０を有し、器部１０は上端側１１又は下端側１２のいずれか一方がコーヒー豆を煮出した上澄みと蜜蝋との混合素材で形成され、他方が、粉末形状のコーヒー豆と蜜蝋との混合素材で形成され、上端側１１と下端側１２とで器部１０を透過した光の色が異なる。
【００１０】照明具１は、一例として店舗にて廃棄されているコーヒー滓を、再利用したキャンドルであり、コーヒーの成分が唯一溶け出す蜜蝋を使用し、蜜蝋の上品な甘い香りとコーヒーのほのかに香ばしい香りが空間を彩ることとなる。
また照明具１は、中心部分のソイワックス２０を燃料とし、着火することでソイワックス２０が溶け、火の位置が下がり、二層となっている上端側１１（主成分：蜜蝋）が火を透過し、暖かな光を演出し、内部では火の光を反射し様々な表情を見せる。
【００１１】上澄みと蜜蝋との混合素材である上端側１１と、他方の粉末形状のコーヒー豆と蜜蝋との混合素材である下端側１２との比率は任意できめることができる。なお、コーヒー豆と蜜蝋との混合素材を上端側１１とし、上澄みと蜜蝋との混合素材を下端側１２としてもよい。
【符号の説明】
【００１２】１    照明具
１０  器部
１１  上端側
１２  下端側
２０  ソイワックス
３０  キャンドル
４０  容器
【図１】
0003217714.tif 000003
【図２】
0003217714.tif 000004
【図３】
0003217714.tif 000005
【図４】
0003217714.tif 000006
【図５】
0003217714.tif 000007
【図６】
0003217714.tif 000008
【図７】
0003217714.tif 000009
(57)【要約】      （修正有）【課題】動く時にかかる制限や違和感を可能な限り解消した、フィット感の高い軽くて動きやすいボクシングシューズを提供する。【解決手段】アッパーの底部に、ソールを用いない代わりに薄手の革またはゴム素材を滑り止めとして縫い付ける。このことにより、圧倒的な軽量化が成され、足に馴染みやすく動きの制限も少ない、フィット感の高い素足感覚で履けるボクシングシューズの提供を可能にする。【選択図】図１
0003217712.tif 000002
【実用新案登録請求の範囲】
【請求項１】
従来、シューズに必ず備えられているソールを敢えて用いない、軽量かつ、動きやすい素足感覚で履けるボクシングシューズ。
【請求項２】
ソールの持つ滑り止めの役割を薄手の革素材で代用した請求項１のボクシングシューズ。
【考案の詳細な説明】
【技術分野】
【０００１】
本考案は靴下のように履ける軽量かつ動きやすいボクシングシューズに関する。
【背景技術】
【０００２】
ボクシング用に限らず、シューズは底にソールを備え、その上にアッパーがある構成になっている。
【考案の概要】
【考案が解決しようとする課題】
【０００３】
従来のシューズの構成からすると、ソールが必須であるため、シューズは重く厚いものになっている。
【０００４】
ソールの素材は硬い物が主な為、履いた際の動きにも制限がかかる。０００３の課題と併せて動きにくさに直結している。
【０００５】
また、ソールの形によってシューズ全体の大きさや形が決まってくるため、履いた際に足とシューズの間に隙間ができたり、足によく馴染まないという事が生じ、着用中の違和感の原因となっている。
【０００６】
本考案は、以上のような従来の問題に鑑み、動く時にかかる制限や違和感を可能な限り解消した、フィット感の高い軽くて動きやすいボクシングシューズの提供を目的とする。
【課題を解決するための手段】
【０００７】
本考案に係るボクシングシューズは、シューズに必須だったソールを敢えて構成から除外し、薄手の布、天然革、もしくは合皮を用いた靴下のような形状を取る。
【０００８】
アッパーの底部には、ソールを用いない代わりに薄手の革またはゴム素材を滑り止めとして縫い付けている。
【０００９】
また、縫い目も必要最低限に抑えている。
【考案の効果】
【００１０】
本考案は従来シューズの構成に必要だったソールを用いないことで圧倒的に軽量化が成されている。
【００１１】
ソールが無いことで靴下の様に装着することができるため、足とシューズの隙間が無くなり、足によく馴染む。このことから装着の際の違和感が解消され、フィット感が高まり、素足に近い感覚での装着が可能になる。
【００１２】
同じく硬いソールが無い為、動きにかかる制限は解消される。
【００１３】
ソールの役割の一つであった滑り止めの機能は、代わりに底に縫い付けた薄手の革又はゴム素材が果たしている為、ソールを除くことでシューズとしての機能が落ちるということも無い。
【００１４】
重量を削り、足に馴染む構成にすることで装着時の違和感が減少、フィット感も高まり素足のような感覚で履くことができる。
【図面の簡単な説明】
【００１５】
【図１】軽量かつ、動きやすい素足感覚で履けるボクシングシューズの全体図
【図２】軽量かつ、動きやすい素足感覚で履けるボクシングシューズの正面図
【考案を実施するための形態】
【００１６】
従来ボクシングシューズに限らず全てのシューズの構成に含まれているソールを用いず、アッパー素材に滑り止め用の薄手の革又はゴム素材を縫い付ける構成を取る。
【図１】
0003217712.tif 000003
【図２】
0003217712.tif 000004
【手続補正書】
【提出日】平成30年6月28日(2018.6.28)
【手続補正１】
【補正対象書類名】実用新案登録請求の範囲
【補正対象項目名】全文
【補正方法】変更
【補正の内容】
【実用新案登録請求の範囲】
【請求項１】
アッパーの底部に、ソールを用いない代わりに薄手の革またはゴム素材を滑り止めとして縫い付けたボクシングシューズ。
【請求項２】
靴下の様に装着することができ、軽量かつ動きやすい素足感覚で履ける請求項１のボクシングシューズ。